(57)【要約】【課題】  本発明は、パーソナルコンピュータ等の電子機器およびその電子機器に使用されるフレキシブル基板に関し、１枚のフレキシブル基板を、互いに角度を持って隣接する２つの支持面上に容易に支持させる構造を備える。【解決手段】  互いに角度を持って隣接する第１の基板支持面および第２の基板支持面を有する基板固定部材６１と、基板固定部材６１の前記第１の基板支持面６１１および第２の基板支持面６１２の双方に支持された状態に固定されるフレキシブル基板６２とを備え、フレキシブル基板６２が、第１の基板支持面６１１に支持される第１の部分６２１の裏面に第１の補強板を有するとともに、第２の基板支持面６１２に支持される第２の部分６２２の裏面に第２の補強板を有する。【選択図】        図１７
2008141139.tif 000002
【特許請求の範囲】
【請求項１】
電子機器において、
互いに角度を持って隣接する第１の基板支持面および第２の基板支持面を有する基板固定部材と、
前記基板固定部材の前記第１の基板支持面および前記第２の基板支持面の双方に支持された状態に固定されるフレキシブル基板とを備え、
前記フレキシブル基板が、前記第１の基板支持面に支持される第１の部分に第１の補強板を有するとともに、前記第２の基板支持面に支持される第２の部分に第２の補強板を有することを特徴とする電子機器。
【請求項２】
前記基板固定部材が、前記フレキシブル基板の前記第１の部分を係止する係止部を有するとともに、締結部材による、該フレキシブル基板の前記第２の部分の固定を受ける固定部を有し、
前記フレキシブル基板が、前記第２の部分に、締結部材挿通用の締結穴を有し、前記第１の部分が前記係止部に係止されるとともに前記第２の部分が前記締結穴に挿通された締結部材により前記固定部に締結されてなることを特徴とする請求項１記載の電子機器。
【請求項３】
前記基板固定部材が、前記第２の基板支持面に突出した位置決めボスを備え、
前記フレキシブル基板が、前記第２の部分に、前記位置決めボスが嵌入する位置決め穴を有することを特徴とする請求項２記載の電子機器。
【請求項４】
前記フレキシブル基板は、前記第１の部分および前記第２の部分のうちの一方に少なくとも１つの押ボタンスイッチが搭載されるとともに他方に少なくとも１つの発光素子が搭載されたものであることを特徴とする請求項１記載の電子機器。
【請求項５】
電子機器に備えられた、互いに角度を持って隣接する第１の基板支持面および第２の基板支持面を有する基板固定部材の、該第１の基板支持面および該第２の基板支持面の双方に支持された状態に固定されるフレキシブル基板であって、
前記第１の基板支持面に支持される第１の部分に第１の補強板を有するとともに、前記第２の基板支持面に支持される第２の部分に第２の補強板を有することを特徴とするフレキシブル基板。
【請求項６】
前記基板固定部材が、前記フレキシブル基板の前記第１の部分を係止する係止部を有するとともに、締結部材による、該フレキシブル基板の前記第２の部分の固定を受ける固定部を有するものであって、
当該フレキシブル基板が、前記第２の部分に、締結部材挿通用の締結穴を有し、前記第１の部分が前記係止部に係止されるとともに、前記第２の部分が前記締結穴に挿通された締結部材により前記固定部に締結されてなることを特徴とする請求項５記載のフレキシブル基板。
【請求項７】
前記基板固定部材が、前記第２の基板支持面に突出した位置決めボスを備えたものであって、
当該フレキシブル基板が、前記第２の部分に、前記位置決めボスが嵌入する位置決め穴を有することを特徴とする請求項６記載のフレキシブル基板。
【請求項８】
前記第１の部分および前記第２の部分のうちの一方に複数の押ボタンスイッチが搭載されるとともに他方に複数の発光素子が搭載されたものであることを特徴とする請求項５記載のフレキシブル基板。
【請求項９】
フレキシブル基板を支持固定する基板固定部材であって、
第１の基板支持面と、
前記第１の基板支持面と所定の角度を持って隣接して形成された第２の基板支持面とを備え、
前記フレキシブル基板は、前記基板固定部材の前記第１の基板支持面および前記第２の基板支持面の双方に支持された状態で固定されるものであり、前記第１の基板支持面に支持される第１の部分に第１の補強板を有するとともに、前記第２の基板支持面に支持される第２の部分に第２の補強板を有するものであって、
当該基板固定部材は、
前記フレキシブル基板の第１の部分を係止する、前記第１の基板支持面に形成された係止部と、
前記フレキシブル基板の第２の部分に形成された締結穴を介して挿通される締結部材を受けて該第２の部分を固定する、前記第２の基板支持面に形成された固定部と、
を有することを特徴とする基板固定部材。
【発明の詳細な説明】
【技術分野】
【０００１】
本発明は、パーソナルコンピュータ等の電子機器、その電子機器に使用されるフレキシブル基板、そのフレキシブル基板を支持する基板固定部材に関する。
【背景技術】
【０００２】
近年、パーソナルコンピュータ（以下、「ＰＣ」と略記する）等の電子機器の小型化、軽量化、および高機能化が急速に進んでおり、電子機器の内部には、柔軟性、薄さ等の観点からフレキシブル基板が採用されていることが多い。また、そのフレキシブル基板上に押ボタン用スイッチや発光素子を搭載しておき、そのフレキシブル基板を固い支持板上に支持させるとともに、そのフレキシブル基板を、光を拡散透過させる部材や押圧により変形する部材で覆って表示や押ボタンとして利用することが行なわれている。
【０００３】
電子機器内でのフレキシブル基板の位置規制等を目的として、様々な技術が提案されている。
【０００４】
例えば、特許文献１には、フレキシブル基板を支持する配線板の両側をフレキシブル基板上に折り曲げて押え爪とし、その押え爪でフレキシブル基板の両側を押える構造が示されている。
【０００５】
また、特許文献２には、フレキシブル基板の端部を、そのフレキシブル基板を支持するケースに設けた長孔に挿入することによってそのフレキシブル基板を保持する構造が示されている。
【０００６】
さらに、特許文献３には、フレキシブル基板を、そのフレキシブル基板を支持する支持部材に接着した構造が示されている。
【特許文献１】実開平５−３３５９０号公報
【特許文献２】特開平１１−２０４９６１号公報
【特許文献３】特開昭５８−２２５６８８号公報
【発明の開示】
【発明が解決しようとする課題】
【０００７】
上掲の特許文献１〜３に記載の技術によれば、それぞれの状況下でのフレキシブル基板の位置規制に役立つ。
【０００８】
ところで、デザイン上の観点や、視認性あるいは操作性の観点から、フレキシブル基板を、互いに角度を持って隣接する２つの支持面上に支持させる必要を生じる場合がある。そのような場合に、上掲の特許文献１〜３の技術を使って２つの支持面上に支持させる場合、例えばフレキシブル基板も２枚用意して、２つの支持面それぞれに各フレキシブル基板を１枚ずつ支持させることが考えられる。しかしながらこの場合、部品点数が増え、組立工数も増加し、高コストの要因となる。
【０００９】
上記の２つの支持面上に１枚のフレキシブル基板をきちんと支持させることについては、上掲の特許文献１〜３のいずれにも示されていない。また、１枚のフレキシブル基板を２つの支持面上に支持させるにあたっては、組立ての容易性も考慮する必要がある。
【００１０】
本発明は、１枚のフレキシブル基板を、互いに角度を持って隣接する２つの支持面上に容易に支持させる構造を備えた電子機器、その電子機器に使用するのが好適なフレキシブル基板、および、そのフレキシブル基板を支持固定する基板固定部材を提供することを目的とする。
【課題を解決するための手段】
【００１１】
上記目的を達成する本発明の電子機器は、互いに角度を持って隣接する第１の基板支持面および第２の基板支持面を有する基板固定部材と、基板固定部材の第１の基板支持面および第２の基板支持面の双方に支持された状態に固定されるフレキシブル基板とを備え、  上記フレキシブル基板が、第１の基板支持面に支持される第１の部分に第１の補強板を有するとともに、第２の基板支持面に支持される第２の部分に第２の補強板を有することを特徴とする。
【００１２】
本発明の電子機器は、そこに採用されているフレキシブル基板が、２つの基板支持面に支持される２つの部分それぞれに別々の補強板を有するため、それら２つの補強板の中間では可撓性を有し、それら２つの補強板により、フレキシブル基板の第１の部分および第２の部分を、それぞれ第１の基板支持面および第２の基板支持面にきちんと、かつ容易に支持させることができる。
【００１３】
ここで、本発明の電子機器において、上記基板固定部材が、フレキシブル基板の第１の部分を係止する係止部を有するとともに、締結部材による、フレキシブル基板の第２の部分の固定を受ける固定部を有し、上記フレキシブル基板が、第２の部分に、締結部材挿通用の締結穴を有し、第１の部分が上記係止部に係止されるとともに第２の部分が上記締結穴に挿通された締結部材により上記固定部に締結されてなることが好ましく、この場合に、上記固定部が、第２の基板支持面に穿設されたネジ穴であり、上記フレキシブル基板が、上記係止部に係止されるとともに上記締結穴に挿通され上記ネジ穴に螺合したネジにより固定されてなるものであってもよい。
【００１４】
上記係止部および上記固定部を有することにより、フレキシブル基板の第１の部分を上記係止部に係止させた上で、第２の部分のみを締結部材により上記固定部に締結させればよく、組立性が向上する。
【００１５】
また、上記の係止部および固定部を備えた構成において、さらに、上記基板固定部材が、第２の基板支持面に突出した位置決めボスを備え、上記フレキシブル基板が、第２の部分に、上記位置決めボスが嵌入する位置決め穴を有することが好ましい。
【００１６】
組立時にフレキシブル基板の位置決め穴に基板固定部材の位置決めボスを嵌入させることにより、位置決めが一層容易となり、組立性が一層向上する。
【００１７】
ここで、上記本発明の電子機器において、上記フレキシブル基板は、第１の部分および第２の部分のうちの一方に複数の押ボタンスイッチが搭載されるとともに他方に複数の発光素子が搭載されたものであってもよい。
【００１８】
本発明の電子機器は、フレキシブル基板上の押ボタンスイッチや発光素子が２つの支持面上の正確な位置に配置されるようにフレキシブル基板を固定するのに好適である。
【００１９】
また、上記目的を達成する本発明のフレキシブル基板は、電子機器に備えられた、互いに角度を持って隣接する第１の基板支持面および第２の基板支持面を有する基板固定部材の、該第１の基板支持面および該第２の基板支持面の双方に支持された状態に固定されるフレキシブル基板であって、上記第１の基板支持面に支持される第１の部分に第１の補強板を有するとともに、上記第２の基板支持面に支持される第２の部分に第２の補強板を有することを特徴とする。
【００２０】
ここで、本発明のフレキシブル基板において、上記基板固定部材が、フレキシブル基板の第１の部分を係止する係止部を有するとともに、締結部材による、フレキシブル基板の第２の部分の固定を受ける固定部を有するものであって、当該フレキシブル基板が、第２の部分に、締結部材挿通用の締結穴を有し、第１の部分が上記係止部に係止されるとともに第２の部分が上記締結穴に挿通された締結部材により上記固定部に締結されてなることが好ましく、この場合に、上記固定部が、第２の基板支持面に穿設されたネジ穴であり、当該フレキシブル基板が、上記係止部に係止されるとともに上記締結穴に挿通され上記ネジ穴に螺合したネジにより固定されてなるものであってもよい。
【００２１】
また、上記の係止部および固定部を備えた構成において、上記基板固定部材が、第２の基板支持面に突出した位置決めボスを備えたものであって、当該フレキシブル基板が、第２の部分に、上記位置決めボスが嵌入する位置決め穴を有することが好ましい。
【００２２】
また、上記本発明のフレキシブル基板は、第１の部分および第２の部分のうちの一方に複数の押ボタンスイッチが搭載されるとともに他方に複数の発光素子が搭載されたものであってもよい。
【００２３】
また、上記目的を達成する本発明の基板固定部材は、フレキシブル基板を支持固定する基板固定部材であって、第１の基板支持面と、前記第１の基板支持面と所定の角度を持って隣接して形成された第２の基板支持面とを備え、前記フレキシブル基板は、前記基板固定部材の前記第１の基板支持面および前記第２の基板支持面の双方に支持された状態で固定されるものであり、前記第１の基板支持面に支持される第１の部分に第１の補強板を有するとともに、前記第２の基板支持面に支持される第２の部分に第２の補強板を有するものであって、当該基板固定部材は、前記フレキシブル基板の第１の部分を係止する、前記第１の基板支持面に形成された係止部と、前記フレキシブル基板の第２の部分に形成された締結穴を介して挿通される締結部材を受けて該第２の部分を固定する、前記第２の基板支持面に形成された固定部と、を有することを特徴とする。
【００２４】
この本発明の基板固定部材により上述と同様に作用効果を発揮する。
【発明の効果】
【００２５】
以上の本発明によれば、１枚のフレキシブル基板を、互いに角度を持って隣接する２つの支持面上に容易に支持させることができる。
【発明を実施するための最良の形態】
【００２６】
以下、本発明の実施形態について説明する。ここでは、本発明の電子機器の一例としてのノートＰＣについて説明する。
【００２７】
図１は、開状態にあるノートＰＣの斜視図、図２は閉状態にあるノートＰＣの斜視図である。
【００２８】
このノートＰＣ１０は、本体ユニット２０と表示ユニット３０とから構成されており、表示ユニット３０は、本体ユニット２０の奥側で、本体ユニット２０に開閉自在にヒンジ接続されている。
【００２９】
本体ユニット２０は、その筐体の内部に、ＣＰＵやその他の回路部品、ハードディスクを内蔵したハードディスクドライブユニット、ＣＤやＤＶＤが取出し自在に装填されてアクセスされるディスクドライブユニット、ＰＣカードが挿入されてアクセスされるＰＣカードスロット、様々なタイプのメモリカードが挿入されてアクセスされるメモリカードスロット、および、その他の様々な部品が備えられている。
【００３０】
また、この本体ユニット２０の上面には、キーボード２１、タッチパッド２２、タッチパッド用の左右の押ボタン２２１，２２２、それらの押ボタン２２１，２２２の中央に置かれた指紋センサ２３、電源ボタン２４、複数のファンクションボタン２５、複数の表示マーク２６、内部のスピーカの音を放出するための放音口２７１，２７２等が配置されている。
【００３１】
ここで、表示ランプ２６は、本体ユニット２０の上面のうちの上方を向いた面に設けられており、電源ボタン２４およびファンクションボタン２５は、操作性を考慮し、斜め手前を向いた面に設けられている。
【００３２】
また、表示ユニット３０には、その中央に大きく広がる表示画面３１が備えられている。
【００３３】
この表示ユニット３０は、後述するヒンジ部材により、本体ユニット２０にヒンジ接続されているが、そのヒンジ部材はこのノートＰＣ１０の外観にはあらわれないようにヒンジ部材には化粧部品４１１，４１２が固定されている。
【００３４】
図３は、図１，図２に示すノートＰＣの、一方の化粧部品４１１の部分を中心とした拡大図である。
【００３５】
この化粧部品４１１は、ネジ４２により、後述するヒンジ部材に固定されており、そのヒンジ部材が外観にあらわれないようにそのヒンジ部材を覆っている。
【００３６】
また、この化粧部品４１１は、後に示すように、その中央にケーブル挿通用の穴が設けられており、その穴内に、本体ユニット２０と表示ユニット３０との間に跨って延びるケーブルが挿通され、これにより、そのケーブルの配線ルートが規制されている。
【００３７】
図４は、図１，図２に示すノートＰＣの本体ユニット２０の上面からキーボード２１と化粧板２７を取り外して示した分解図である。
【００３８】
この図４には、本体ユニット２０からキーボード２１と化粧板２７が取り外された結果、本体ユニット２０の上蓋２９が、キーボード２１の下に隠れていた部分を含め、本体ユニット２０の上面にあらわれている。
【００３９】
図５は、図４に示すようにキーボード等を取り外した状態の本体ユニットから、さらにその本体ユニット２０の上面を覆う上蓋２９およびその上蓋２９に固定された部品を取り外して示した分解図である。
【００４０】
上蓋２９が取り外された結果、本体ユニット２０に内蔵されている各種の部品があらわれている。ここでは各種の部品への言及は省略するが、ここには化粧部品４１１に設けられたケーブル挿通用の穴４１１ａを通るケーブル４３が示されている。
【００４１】
図６は、図５に示す状態における化粧部品４１１の周りの拡大図である。
【００４２】
この図６には、化粧部品４１１に設けられたケーブル挿通用の穴４１１ａにケーブル４３が挿通されている状態が明瞭に示されている。この化粧部品４１１は、ネジ４２により、ヒンジ部材５１に固定されている。このヒンジ部材５１は、本体ユニット２０と表示ユニット３０との双方に固定され、それら本体ユニット２０と表示ユニット３０を開閉自在に繋ぐとともに、フリクションによりそれら本体ユニット２０および表示ユニット３０を開閉の任意の状態で支持する役割りを担っている。
【００４３】
図７は、図５，図６に示す状態からさらに本体ユニット２０自体を取り外して化粧部品４１１の周りを示した拡大図である。
【００４４】
ヒンジ部材５１は、本体ユニットに固定される本体ユニット側固定部５１１と、表示ユニットに固定される表示ユニット側固定部５１２と、それら本体ユニット側固定部５１１と表示ユニット側固定部５１２を所定のフリクションを持って回動自在に繋ぐ連結部５１３とから構成されており、化粧部品４１１は、その連結部５１３を覆うようにして、ネジ４２によりヒンジ部材５１にネジ止めされている。
【００４５】
また、ケーブル４３は、化粧部品４１１に設けられているケーブル挿通用の穴４１１ａを通り、本体ユニット２０と表示ユニット３０との間に延び、それら本体ユニットと表示ユニットを電気的に接続している。
【００４６】
図８，図９は、化粧部品単体を、それぞれ表側、裏側から示した斜視図である。
【００４７】
この化粧部品４１１には、ケーブル挿通用の穴４１１ａとネジ止め用の穴４１１ｂとが形成されており、それら２つの穴４１１ａ，４１１ｂはスリット４１１ｃにより相互に繋っている。また、この化粧部品４１１には、ヒンジ部材５１の一部を収容するための広い内部空間４１１ｄが形成されている。
【００４８】
図１０は、ヒンジ部材と化粧部品の位置関係を示した分解斜視図である。
【００４９】
化粧部品４１１は、その内部空間４１１ｄに、ヒンジ部材５１の連結部５１３の一部を収容し、ネジ止め用の穴４１１ｂが、ヒンジ部材５１に設けられたネジ穴５１４に重なる位置に重ねられる。
【００５０】
図１１，図１２は、化粧部品へのケーブル挿通の様子を示す図である。
【００５１】
このケーブル４３の先端には、そのケーブル４３が一列に並べられた状態で接続されたコネクタ４４が備えられており、化粧部品４１１のケーブル挿通用の穴４１１ａにこのケーブル先端のコネクタ４４を挿入するには、図１１に示すように、そのケーブル４３の一部がネジ止め用の穴４１１ｂにも入り込むようにして挿通される。これにより、このケーブル４３の先端部分を化粧部品４１１のケーブル挿通用の穴４１１ａに容易に挿入することができ、作業性の向上が図られている。
【００５２】
化粧部品４１１のケーブル挿通用の穴４１１ａにケーブル４３の先端部分を挿入した後は、図１２に示すように、ケーブル挿通用の穴４１１ａには十分な余裕があり、ケーブル４３をスムーズに挿通することができる。
【００５３】
図１３は、ケーブルが挿通され、かつヒンジ部材上に配置された状態の化粧部品を示した斜視図である。
【００５４】
ケーブル４３は、化粧部品４１１に設けられたケーブル挿通用の穴４１１ａを通り、さらにヒンジ部材５１の表示ユニット側固定部５１２の窪み部５１２ａを通って延びている。この状態のケーブル４３の一端が本体ユニットの内部に接続され、他端が表示ユニットの内部に接続される。
【００５５】
図１４は、本体ユニット２０を覆う上蓋２９を図５に示すように取り外したときの、その上蓋２９の内側の面を示す斜視図である。
【００５６】
この上蓋２９の内側の面にもいくつかの部品が配置されているが、ここでは、これらの部品のうち、フレキシブル基板（後述する）が固定された基板固定部材６１を取り上げて説明する。
【００５７】
この基板固定部材６１は、上蓋２９の内面の、本体ユニット２０（例えば図５参照）の、表示ユニット３０との間でヒンジ接続された奥側に固定されている。
【００５８】
この図１４は、基板固定部材６１の、フレキシブル基板を支持する支持面に対する裏面側が示されている。
【００５９】
図１５は、基板固定部材６１を取り外した状態の上蓋２９の内面と、その上蓋２９から取り外された状態の基板固定部材６１とを示した分解斜視図である。ただし、この図１５では、基板固定部材６１は、フレキシブル基板６２を支持する側の面を上に向けた状態が示されている。
【００６０】
また、図１６は、フレキシブル基板６２が固定された状態の基板固定部材６１の拡大斜視図、図１７は、フレキシブル基板６２と基板固定部材６１とを分解して示した分解斜視図、図１８は、フレキシブル基板の裏面を示した斜視図である。
【００６１】
基板固定部材６１は、図１７に示すように、斜め前方を向いた第２の基板支持面６１１と、その第１の基板支持面６１１に隣接して設けられた、上方に向いた第２の基板支持面６１２を有する。一方、フレキシブル基板６２にも、基板固定部材６１の第１の基板支持面６１１および第２の基板支持面６１２にそれぞれ支持される第１の部分６２１および第２の部分６２２を有する。
【００６２】
フレキシブル基板６２の第１の部分６２１には、図１６に示すように、電源投入用の押ボタンスイッチ６２３、および２つのファンクションスイッチ６２４が並べられており、第２の部分６２２には、複数の発光素子６２５が並べられている。また、第２の部分６２２には、ネジ止め用の穴６２６が設けられており、さらに位置決め用の穴６２７が設けられている。
【００６３】
一方、基板固定部材６１の第２の基板支持面６１２には、フレキシブル基板６２に設けられたネジ止め用の穴６２６に対応する位置にネジ穴６１３が形成され、フレキシブル基板６２に設けられた位置決め用の穴６２７に対応する位置には位置決めボス６１４が立設している（図１７参照）。
【００６４】
また、基板固定部６１には、フレキシブル基板６２の第１の部分６２１の先端を係止する係止部６１５が設けられている。
【００６５】
また、図１８に示すようにフレキシブル基板６１の裏面には、そのフレキシブル基板６２の第１の部分６２１の裏面に相当する位置に第１の補強板６２８が貼り付けられており、フレキシブル基板６２の第２の部分６２２の裏面に相当する位置に第２の補強板６２９が貼り付けられている。
【００６６】
これら第１の補強板６２８と第２の補強板６２９は互いに別体の補強板であり、フレキシブル基板６２の、第１の補強板６２８と第２の補強板６２９との隙間の部分が可撓性を有し、その隙間の部分が折れ曲がることにより、第１の部分６２１が基板固定部材６１の第１の基板支持面６１１に安定的に支持されるとともに、第２の部分６２２が基板固定部材６１の第２の基板支持面６１２に安定的に支持される。
【００６７】
フレキシブル基板６２を基板固定部材６１上に固定させるにあたっては、フレキシブル基板６２の第１の部分６２１の先端（第１の補強板６２８の先端）を基板固定部材６１の第１の基板支持面６１１に設けられた係止部６１５に係止させるとともに、フレキシブル基板６２の第２の部分６２２に設けられた位置決め用の穴６２７に、基板固定部材６１の第２の基板支持面６１２に設けられた位置決め用ボス６１４が嵌入するように、そのフレキシブル基板６２の第２の部分６２２を基板固定部材６１の第２の基板支持面６１２の上に置く。こうすると、フレキシブル基板６２の第２の部分６２２に設けられたネジ止め用の穴６２６が基板固定部材６１の第２の支持面に設けられたネジ穴６１３と重なるので、そのネジ止め用の穴６２６およびネジ穴６１３を使って、フレキシブル基板６２を基板固定部材６１にネジ止めする。このように、フレキシブル基板６２の第１の部分６２１については係止させるにとどめ第２の部分６２２のみネジ止めする構造としたことで、容易に組立てることができる。尚、位置決め用の穴６２７および位置決め用ボス６１４はこれらを設けた方が作業性が一層向上するものの、ネジ止め用の穴６２６とネジ穴６１３との位置合わせはさほど難しくはなく、したがって位置決め用の穴６２７および位置決め用ボス６１４は必ずしも必要ではない。
【００６８】
図１９は、本体ユニット２０の上面を覆う上蓋２９（例えば図５参照）の、基板固定部材６１が固定された部分の表側の面を示した拡大図である。
【００６９】
この上蓋２９には、この上蓋２９の裏面側に固定された基板固定部材６１（図１４参照）に固定されているフレキシブル基板６２（図１６参照）上の電源投入用の押ボタンスイッチ６２３に対応する位置には、押下を受けてその押ボタンスイッチ６２３を押す電源ボタン２４と、フレキシブル基板６２上の２つのファンクションスイッチ６２４に対応する位置には、押下を受けて対応するファンクションスイッチ６２４を押す２つのファンクションボタン２５が配置されている。
【００７０】
これらの電源ボタン２４およびファンクションボタン２５は、斜め下に押下されることから、フレキシブル基板６２上の押ボタンスイッチ６２３およびファンクションスイッチ６２４は、基板固定部材６１の、斜め前方を向いた第１の基板支持面６１１に支持される、フレキシブル基板６２の第１の部分６２１に搭載されている。
【００７１】
また、この上蓋２９は、光を散乱透過させる白系のプラスチック材料で形成されており、この上蓋２９の、フレキシブル基板６２の第２の部分６２２を覆う部分であって、フレキシブル基板６２上に並べられた発光素子６２５（図１６参照）の直上の部分には、その発光素子６２５の発光の意味を想起させる各種の表示マーク２６が形成されている。フレキシブル基板６２上の発光素子６２５は、基板固定部材６１の、上方を向いた第２の基板支持面６１２に支持される、フレキシブル基板６２上の第２の部分６２２に搭載されており、これに対応して、上蓋２９に形成された各種の表示マーク２６は、その上蓋の、上方を向いた部分に形成されている。
【００７２】
以下に本発明を付記する。
【００７３】
（付記１）
電子機器において、
互いに角度を持って隣接する第１の基板支持面および第２の基板支持面を有する基板固定部材と、
前記基板固定部材の前記第１の基板支持面および前記第２の基板支持面の双方に支持された状態に固定されるフレキシブル基板とを備え、
前記フレキシブル基板が、前記第１の基板支持面に支持される第１の部分に第１の補強板を有するとともに、前記第２の基板支持面に支持される第２の部分に第２の補強板を有することを特徴とする電子機器。
【００７４】
（付記２）
前記基板固定部材が、前記フレキシブル基板の前記第１の部分を係止する係止部を有するとともに、締結部材による、該フレキシブル基板の前記第２の部分の固定を受ける固定部を有し、
前記フレキシブル基板が、前記第２の部分に、締結部材挿通用の締結穴を有し、前記第１の部分が前記係止部に係止されるとともに前記第２の部分が前記締結穴に挿通された締結部材により前記固定部に締結されてなることを特徴とする付記１記載の電子機器。
【００７５】
（付記３）
前記基板固定部材が、前記第２の基板支持面に突出した位置決めボスを備え、
前記フレキシブル基板が、前記第２の部分に、前記位置決めボスが嵌入する位置決め穴を有することを特徴とする付記２記載の電子機器。
【００７６】
（付記４）
前記フレキシブル基板は、前記第１の部分および前記第２の部分のうちの一方に少なくとも１つの押ボタンスイッチが搭載されるとともに他方に少なくとも１つの発光素子が搭載されたものであることを特徴とする付記１記載の電子機器。
【００７７】
（付記５）
電子機器に備えられた、互いに角度を持って隣接する第１の基板支持面および第２の基板支持面を有する基板固定部材の、該第１の基板支持面および該第２の基板支持面の双方に支持された状態に固定されるフレキシブル基板であって、
前記第１の基板支持面に支持される第１の部分に第１の補強板を有するとともに、前記第２の基板支持面に支持される第２の部分に第２の補強板を有することを特徴とするフレキシブル基板。
【００７８】
（付記６）
前記基板固定部材が、前記フレキシブル基板の前記第１の部分を係止する係止部を有するとともに、締結部材による、該フレキシブル基板の前記第２の部分の固定を受ける固定部を有するものであって、
当該フレキシブル基板が、前記第２の部分に、締結部材挿通用の締結穴を有し、前記第１の部分が前記係止部に係止されるとともに、前記第２の部分が前記締結穴に挿通された締結部材により前記固定部に締結されてなることを特徴とする付記５記載のフレキシブル基板。
【００７９】
（付記７）
前記基板固定部材が、前記第２の基板支持面に突出した位置決めボスを備えたものであって、
当該フレキシブル基板が、前記第２の部分に、前記位置決めボスが嵌入する位置決め穴を有することを特徴とする付記６記載のフレキシブル基板。
【００８０】
（付記８）
前記第１の部分および前記第２の部分のうちの一方に複数の押ボタンスイッチが搭載されるとともに他方に複数の発光素子が搭載されたものであることを特徴とする付記５記載のフレキシブル基板。
【００８１】
（付記９）
前記締結部材はネジであることを特徴とする請求項２記載の電子機器。
【００８２】
（付記１０）
フレキシブル基板を支持固定する基板固定部材であって、
第１の基板支持面と、
前記第１の基板支持面と所定の角度を持って隣接して形成された第２の基板支持面とを備え、
前記フレキシブル基板は、前記基板固定部材の前記第１の基板支持面および前記第２の基板支持面の双方に支持された状態で固定されるものであり、前記第１の基板支持面に支持される第１の部分に第１の補強板を有するとともに、前記第２の基板支持面に支持される第２の部分に第２の補強板を有するものであって、
当該基板固定部材は、
前記フレキシブル基板の第１の部分を係止する、前記第１の基板支持面に形成された係止部と、
前記フレキシブル基板の第２の部分に形成された締結穴を介して挿通される締結部材を受けて該第２の部分を固定する、前記第２の基板支持面に形成された固定部と、
を有することを特徴とする基板固定部材。
【００８３】
（付記１１）
前記フレキシブル基板が前記第２の部分に位置決め穴を有し、
当該基板固定部材は、
前記フレキシブル基板の位置決め穴が嵌入される、前記第２の基板支持面に突出した位置決めボスを有することを特徴とする付記１０記載の基板固定部材。
【図面の簡単な説明】
【００８４】
【図１】開状態にあるノートＰＣの斜視図である。
【図２】閉状態にあるノートＰＣの斜視図である。
【図３】図１，図２に示すノートＰＣの、一方の化粧部品の部分を中心とした拡大図である。
【図４】図１，図２に示すノートＰＣの本体ユニットの上面からキーボードと化粧板を取り外して示した分解図である。
【図５】図４に示すようにキーボード等を取り外した状態の本体ユニットからさらにその本体ユニットの上面を覆う上蓋およびその上蓋に固定された部品を取り外して示した分解図である。
【図６】図５に示す状態における化粧部品の周りの拡大図である。
【図７】図５，図６に示す状態からさらに本体ユニット自体を取り外して化粧部品の周りを示した拡大図である。
【図８】化粧部品単体を、表側から示した斜視図である。
【図９】化粧部品単体を、裏側から示した斜視図である。
【図１０】ヒンジ部材と化粧部品の位置関係を示した分解斜視図である。
【図１１】化粧部品へのケーブル挿通の様子を示す図である。
【図１２】化粧部品へのケーブル挿通の様子を示す図である。
【図１３】ケーブルが挿通され、かつヒンジ部材上に配置された状態の化粧部品を示した斜視図である。
【図１４】本体ユニットを覆う上蓋を図５に示すように取り外したときの、その上蓋の内側の面を示す斜視図である。
【図１５】基板固定部材を取り外した状態の上蓋の内面と、その上蓋から取り外された状態の基板固定部材とを示した分解斜視図である。
【図１６】フレキシブル基板が固定された状態の基板固定部材の拡大斜視図である。
【図１７】フレキシブル基板と基板固定部材とを分解して示した分解斜視図である。
【図１８】フレキシブル基板の裏面を示した斜視図である。
【図１９】本体ユニットの上面を覆う上蓋の、基板固定部材が固定された部分の表側の面を示した拡大図である。
【符号の説明】
【００８５】
１０    ノートＰＣ
２０    本体ユニット
２１    キーボード
２２    タッチパッド
２２１，２２２    押ボタン
２３    指紋センサ
２４    電源ボタン
２５    ファンクションボタン
２６    表示マーク
２７１，２７２    放音口
３０    表示ユニット
３１    表示画面
４１１，４１２    化粧部品
４１１ａ    ケーブル挿通用の穴
４１１ｂ    ネジ止め用の穴
４１１ｃ    スリット
４１１ｄ    内部空間
４２    ネジ
４３    ケーブル
５１    ヒンジ部材
５１１    本体ユニット側固定部
５１２    表示ユニット側固定部
５１３    連結部
５１４    ネジ穴
６１    基板固定部材
６１１    第１の基板支持面
６１２    第２の基板支持面
６１３    ネジ穴
６１４    位置決め用ボス
６１５    係止部
６２    フレキシブル基板
６２１    第１の部分
６２２    第２の部分
６２３    押ボタンスイッチ
６２４    ファンクションスイッチ
６２５    発光素子
６２６    ネジ止め用の穴
６２７    位置決め用の穴
６２８    第１の補強板
６２９    第２の補強板
【図１】
2008141139.tif 000003
【図２】
2008141139.tif 000004
【図３】
2008141139.tif 000005
【図４】
2008141139.tif 000006
【図５】
2008141139.tif 000007
【図６】
2008141139.tif 000008
【図７】
2008141139.tif 000009
【図８】
2008141139.tif 000010
【図９】
2008141139.tif 000011
【図１０】
2008141139.tif 000012
【図１１】
2008141139.tif 000013
【図１２】
2008141139.tif 000014
【図１３】
2008141139.tif 000015
【図１４】
2008141139.tif 000016
【図１５】
2008141139.tif 000017
【図１６】
2008141139.tif 000018
【図１７】
2008141139.tif 000019
【図１８】
2008141139.tif 000020
【図１９】
2008141139.tif 000021